(57)【要約】【課題】  従来のモータを用いた撹拌・脱泡装置では、高密度なマイクロプレートでの撹拌、脱泡に対応することができないという問題があった。【解決手段】  両端の金属ブロック１ａ、１ｂで挟持した圧電体振動子１ｃからなるボルト締めランジュバン型振動子１が構成され、このボルト締めランジュバン型振動子１の圧電体振動子１ｃに発信器２が接続され、又、ボルト締めランジュバン型振動子１の超音波発生面にブースター３が固着され、ブースター３の端部にホーン４が固着され、ホーン４の端部にマイクロプレート接触部５が装着され、このマイクロプレート接触部５にマイクロプレート６が接触されている。【選択図】図１
2007117830.tif 000002
【特許請求の範囲】
【請求項１】
発信器から発信出力を印加することにより超音波振動する超音波振動子と、該超音波振動子の端部に固着され、前記超音波振動子からの超音波を集中させるホーンと、該ホーンの端部に装着されたマイクロプレート接触部と、該マイクロプレート接触部に装着されたマイクロプレートとからなり、前記マイクロプレート接触部に装着された前記マイクロプレートの撹拌、脱泡を行うことを特徴とする超音波マイクロプレートの撹拌・脱泡装置。
【請求項２】
前記超音波振動子にブースターを介してホーンを装着することを特徴とする請求項１記載の超音波マイクロプレートの撹拌・脱泡装置。
【請求項３】
発信器から発信出力が印加された超音波振動する２つの超音波振動子と、該２つの超音波振動子のそれぞれの端部に装着され、前記超音波振動子からの超音波をそれぞれ集中させるホーンと、該ホーンの間に装着されたマイクロプレートとからなることを特徴とする超音波マイクロプレートの撹拌・脱泡装置。
【請求項４】
前記それぞれの超音波振動子にブースターを介してそれぞれホーンを装着することを特徴とする請求項３記載の超音波マイクロプレートの撹拌・脱泡装置。
【請求項５】
前記ホーンを対向して装着し、前記ホーンの間に前記マイクロプレートを装着することを特徴する請求項３記載の超音波マイクロプレートの撹拌・脱泡装置。
【請求項６】
前記ホーンが並列になるように前記マイクロプレート装着することを特徴とする請求項３記載の超音波マイクロプレートの撹拌・脱泡装置。
【請求項７】
前記それぞれの超音波振動子にブースターを介してそれぞれホーンを装着することを特徴とする請求項３記載の超音波マイクロプレートの撹拌・脱泡装置。
【発明の詳細な説明】
【技術分野】
【０００１】
本発明は、マイクロプレートに超音波を照射し、各Ｗｅｌｌの撹拌・脱泡を高速に行う超音波マイクロプレート撹拌・脱泡装置に関するものである。
【背景技術】
【０００２】
一般に、細胞培養液の撹拌や、この細胞培養液に試薬を混合したり、大量にスクリーニングする場合において、これらを高い信頼性で、精度よく実施するには、従来の少ないＷｅｌｌマイクロプレートより、高密度のマイクロプレートを用いて、高速で、高感度な測定を行わなければならない。
【０００３】
しかしながら、従来のモータを用いた撹拌・脱泡装置では、高密度なマイクロプレートでの撹拌、脱泡に対応することができないという問題があった。
【発明の開示】
【発明が解決しようとする課題】
【０００４】
解決しようとする問題点は、従来のモータを用いた撹拌・脱泡装置では、高密度なマイクロプレートでの撹拌、脱泡に対応することができないという問題があった。
【課題を解決するための手段】
【０００５】
本発明では、超音波振動子は発信器から発信出力を印加することにより超音波振動し、ホーンは超音波振動子の端部に固着され、前記超音波振動子からの超音波を集中させ、マイクロプレート接触部はホーンの端部に装着され、マイクロプレートはマイクロプレート接触部に装着され、マイクロプレート接触部に装着されたマイクロプレートの撹拌、脱泡を行うものである。
【発明の効果】
【０００６】
本発明の超音波マイクロプレート撹拌・脱泡装置では、細胞培養液の撹拌、各種生化学アセッテイ用液の撹拌、ビーズ・溶剤、試薬の混合などのように、高密度マイクロプレートの撹拌・脱泡による科学物のハイスループット、スクリーニング（ＨＷＳ）が高速で、高い信頼性を持って行うことができるという利点がある。
【発明を実施するための最良の形態】
【０００７】
本発明では、マイクロプレートの撹拌・脱泡を超音波振動子の超音波発生面に装着したホーンに、マイクロプレートを装着することにより、有効に、高速に行うことができた。
【実施例】
【０００８】
図１は本発明の実施例の超音波マイクロプレート撹拌・脱泡装置の側面図で、圧電体振動子１ｃを両端の金属ブロック１ａ、１ｂで挟持し、ボルト１ｄを金属ブロック１ｂの中心孔に挿入して端部からでめ付けたボルト締めランジュバン型振動子１が構成され、このボルト締めランジュバン型振動子１の圧電体振動子１ｃに発信器２が接続され、又、ボルト締めランジュバン型振動子１の超音波発生面にブースター３が固着され、ブースター３の端部にホーン４が固着され、ホーン４の端部にマイクロプレート接触部５が装着され、このマイクロプレート接触部５にマイクロプレート６が接触されている。
【０００９】
このように構成された本実施例の超音波マイクロプレート撹拌・脱泡装置では、発信器２からボルト締めランジュバン型振動子１の圧電体振動子１ｃに発振出力が印加されると、ブースター３を超音波振動し、さらに、ホーン４によって超音波振動を先端に集中させることにより、ホーン４の端部に装着したマイクロプレート接触部５を介してマイクロプレート６が超音波振動され、細胞培養液の撹拌、各種生化学アセッテイ用液の撹拌、ビーズ・溶剤、試薬の混合などのように、高密度マイクロプレートの撹拌・脱泡による科学物のハイスループット、スクリーニング（ＨＷＳ）が高速で、高い信頼性を持って行うことができる。
【００１０】
図２は本発明の他の実施例の超音波マイクロプレート撹拌・脱泡装置の側面図で、マイクロプレート６は支持部材７で支持され、この支持部材７の両端にそれぞれホーン４が直列に固着され、ホーン４にそれぞれブースター３が固着され、ブースター３にボルト締めランジュバン型振動子１が固着されている。
【００１１】
このように構成された本実施例の超音波マイクロプレート撹拌・脱泡装置では、発信器２からそれぞれボルト締めランジュバン型振動子１の圧電体振動子１ｃに発振出力が印加されると、それぞれのブースター３を超音波振動し、さらに、それぞれのホーン４によって超音波振動を先端に集中させることにより、ホーン４の端部に装着した支持部材７を介してマイクロプレート６が超音波振動され、細胞培養液の撹拌、各種生化学アセッテイ用液の撹拌、ビーズ・溶剤、試薬の混合などのように、高密度マイクロプレートの撹拌・脱泡による科学物のハイスループット、スクリーニング（ＨＷＳ）が高速で、高い信頼性を持って行うことができる。
【００１２】
図３は本発明のさらに他の実施例の超音波マイクロプレート撹拌・脱泡装置の側面図で、マイクロプレート６は受台材８で支持され、この受台８の両端はそれぞれホーン４に固着された受け部４ａで支持され、ホーン４は縦に並列に固着され、ホーン４にそれぞれブースター３が固着され、ブースター３にボルト締めランジュバン型振動子１が固着されている。
【００１３】
このように構成された本実施例の超音波マイクロプレート撹拌・脱泡装置では、発信器２からそれぞれボルト締めランジュバン型振動子１の圧電体振動子１ｃに発振出力が印加されると、それぞれのブースター３を超音波振動し、又、それぞれのホーン４によって超音波振動を受け部４ａを介して受台８に集中させ、さらに、受台８を介してマイクロプレート６が超音波振動され、細胞培養液の撹拌、各種生化学アセッテイ用液の撹拌、ビーズ・溶剤、試薬の混合などのように、高密度マイクロプレートの撹拌・脱泡による科学物のハイスループット、スクリーニング（ＨＷＳ）が高速で、高い信頼性を持って行うことができる。
【産業上の利用可能性】
【００１４】
なお、上記実施例において、ボルト締めランジュバン型振動子１にブースター３を介してホーン４を固着したが、ブースター３を省いても同様に超音波振動子１の超音波振動をホーンに伝達することができ、又、図２によっておいて、一方のホーン４をスライドするように支持部材７を構成してもよいし、さらに、図３において、ホーン４をスライドするように受台８を構成してもよい。
【図面の簡単な説明】
【００１５】
【図１】図１は本発明の実施例の超音波マイクロプレート撹拌・脱泡装置の側面図である。
【図２】図２は本発明の他の実施例の超音波マイクロプレート撹拌・脱泡装置の側面図である。
【図３】図２は本発明のさらに他の実施例の超音波マイクロプレート撹拌・脱泡装置の側面図である。
【符号の説明】
【００１６】
１                ボルト締めランジュバン型振動子
２                発信器
３                ブースター
４                ホーン
５                マイクロプレート接触部
６                マイクロプレート
７                支持部材
８                受台
【図１】
2007117830.tif 000003
【図２】
2007117830.tif 000004
【図３】
2007117830.tif 000005